(57)【要約】      （修正有）【課題】防水性能に優れるシールド電線、ワイヤハーネス及びシールド電線の製造方法を提供する。【解決手段】シールド電線１は、電線と、電線の周囲に巻き付けられて電線の周囲を覆うシールド層を形成する金属箔材４と、金属箔材４の外周に巻き付けられる樹脂フィルム５と、樹脂フィルム５の外周に螺旋状に巻き付けられる粘着テープ６と、を有している。樹脂フィルム５は、長尺帯状に形成されており、電線の長手方向と略平行に添えられて金属箔材４の周囲に巻き付けられるとともに、電線の長手方向に沿った樹脂フィルム５両側の辺縁部５ａが互いに重ねられ溶着されている。【選択図】図１
2016072131.tif 000002
【特許請求の範囲】
【請求項１】
電線と、
前記電線の周囲に巻き付けられて当該電線の周囲を覆うシールド層を形成するシールド部材と、
前記シールド部材の外周に巻き付けられる樹脂フィルムと、
前記樹脂フィルムの外周に、螺旋状に巻き付けられる粘着テープと、を有し、
前記樹脂フィルムは、長尺帯状に形成されており、前記電線の長手方向と略平行に添えられて前記シールド部材の周囲に巻き付けられるとともに、前記電線の長手方向に沿った樹脂フィルム両側の辺縁部が互いに重ねられ溶着されていることを特徴とするシールド電線。
【請求項２】
前記樹脂フィルムは、当該樹脂フィルム両側の辺縁部のうち一方の辺縁部の外面に他方の辺縁部の内面が向き合うように上下に重ねられていることを特徴とする請求項１に記載されたシールド電線。
【請求項３】
前記樹脂フィルムは、当該樹脂フィルム両側の辺縁部が内面同士で向き合うように重ねられ、当該樹脂フィルムの外周面に沿うように折り曲げられていることを特徴とする請求項１に記載されたシールド電線。
【請求項４】
前記樹脂フィルムは、摩耗性の観点から定められる所定量以上の厚みを備えることを特徴とする請求項１から３のいずれかに記載されたシールド電線。
【請求項５】
請求項１から４のいずれかに記載されたシールド電線を含むことを特徴とするワイヤハーネス。
【請求項６】
シールド層を形成するシールド部材を、電線の周囲に巻き付ける第１の工程と、
前記シールド部材の外周に、長尺帯状に形成された樹脂フィルムを巻き付ける第２の工程と、
前記樹脂フィルムの外周に粘着テープを螺旋状に巻き付ける第３の工程と、
前記粘着テープが巻き付けられた電線を加熱処理する第４の工程と、を有し、
前記第２の工程は、前記電線の長手方向と略平行に前記樹脂フィルムを前記シールド部材に添えて前記シールド部材の周囲に前記樹脂フィルムを巻き付けるとともに、前記電線の長手方向に沿った樹脂フィルム両側の辺縁部を互いに重ね合わせる工程であることを特徴とするシールド電線の製造方法。
【発明の詳細な説明】
【技術分野】
【０００１】
本発明は、シールド電線、ワイヤハーネス及びシールド電線の製造方法に関する。
【背景技術】
【０００２】
自動車内の電気配線において、ノイズの影響を受け易い機器あるいはノイズを発生し易い機器への配線には、信号の伝送等を行う電線の周囲に電磁波遮蔽層であるシールド層を備えたシールド電線が使用される。
【０００３】
例えば特許文献１には、少なくとも１本の電線とドレイン線とからなる電線と、当該電線を覆う導電シートと、保護テープとで構成されるシールド電線が開示されている。導電シートは、電線の長手方向に沿って長尺帯状となっており、電線の長手方向と略平行に添えられて当該電線に巻き付けられている。また、電線の長手方向に沿った導電シート両側の辺縁部は、上下に重なるように処理されている。導電シートは、例えば樹脂製のシート（基材）に金属箔層を積層したものである。この導電シートは、電線の周囲を覆うシールド層を形成して電線に電磁波シールド性を付与するシールド部材である。さらに、保護テープは、幅狭な長尺状のテープであり、導電シートの外周に螺旋状に巻き付けられている。
【０００４】
また、このようなシールド層を持つ部材としてはシート状のもの以外にも、電線の外周に螺旋状に巻き付けるテープ状のものも知られている（例えば特許文献２，３参照）。
【先行技術文献】
【特許文献】
【０００５】
【特許文献１】特開２０１３−４３５４号公報
【特許文献２】特開２００７−２７０５０号公報
【特許文献３】特開２０１１−２２２２６２号公報
【発明の概要】
【発明が解決しようとする課題】
【０００６】
例えばエンジンルーム等の環境にシールド電線が配索された場合には、これが雨水に曝される可能性がある。従来のシールド電線では、保護テープの重ね合わせ箇所から水が進入する可能性があり、これがシールド部材へと到達した場合には、シールド部材（金属箔）に腐食が起こり、シールド性能を低下させる可能性がある。このように、従来のシールド電線では防水対策が十分になされておらず、エンジンルームのように水等を被る可能性がある環境ではシールド電線を使用することが困難であるという問題があった。
【０００７】
本発明はかかる事情に鑑みてなされたものであり、その目的は、防水性能に優れるシールド電線、ワイヤハーネス及びシールド電線の製造方法を提供することにある。
【課題を解決するための手段】
【０００８】
かかる課題を解決するために、第１の発明は、電線と、電線の周囲に巻き付けられて当該電線の周囲を覆うシールド層を形成するシールド部材と、シールド部材の外周に巻き付けられる樹脂フィルムと、樹脂フィルムの外周に、螺旋状に巻き付けられる粘着テープと、を有するシールド電線を提供する。ここで、樹脂フィルムは、長尺帯状に形成されており、当該電線の長手方向と略平行に添えられてシールド部材の周囲に巻き付けられるとともに、電線の長手方向に沿った樹脂フィルム両側の辺縁部が互いに重ねられ溶着されている。
【０００９】
ここで、第１の発明において、樹脂フィルムは、当該樹脂フィルム両側の辺縁部のうち一方の辺縁部の外面と他方の辺縁部の内面と向き合うように重ねられていることが好ましい。
【００１０】
また、第１の発明において、樹脂フィルムは、当該樹脂フィルム両側の辺縁部が内面同士で向き合うように重ねられ、当該樹脂フィルムの外周面に沿うように折り曲げられていることが好ましい。
【００１１】
さらに、第１の発明において、樹脂フィルムは、摩耗性の観点から定められる所定量以上の厚みを備えることが好ましい。
【００１２】
また、第２の発明は、上述の第１の発明に係るシールド電線を含むワイヤハーネスを提供する。
【００１３】
さらに、第３の発明は、シールド層を形成するシールド部材を、電線の周囲に巻き付ける第１の工程と、前記シールド部材の外周に、長尺帯状に形成された樹脂フィルムを巻き付ける第２の工程と、樹脂フィルムの外周に粘着テープを螺旋状に巻き付ける第３の工程と、粘着テープが巻き付けられた電線を加熱処理する第４の工程と、を有するシールド電線の製造方法を提供する。ここで、第２の工程は、電線の長手方向と略平行に樹脂フィルムをシールド部材に添えて当該シールド部材の周囲に樹脂フィルムを巻き付けるとともに、電線の長手方向に沿った樹脂フィルム両側の辺縁部を互いに重ね合わせる工程である。
【発明の効果】
【００１４】
本発明によれば、樹脂フィルム両側の辺縁部を重ね合わせた状態で、当該樹脂フィルムの外周を粘着テープで螺旋状に巻くことで、樹脂フィルム両側の辺縁部の重なった領域が粘着テープにより押さえられ、両者を密着させることができる。したがって、加熱処理に際しては両者の密着した領域が自己溶着するため、樹脂フィルム両側の辺縁部同士を確実に溶着することができる。これにより、高い気密性を確保することができる。その結果、金属箔材への水の進入を抑制することができ、防水性能に優れるシールド電線を提供することができる。
【図面の簡単な説明】
【００１５】
【図１】第１の実施形態に係るシールド電線を示す斜視図
【図２】図１に示すシールド電線の製造工程の一部を示す説明図
【図３】試験方法の説明図
【図４】第２の実施形態に係るシールド電線を別の一例を示す斜視図
【図５】図３に示すシールド電線の製造工程の一部を示す説明図
【図６】図３に示すシールド電線の変形例に係る製造工程の一部を示す説明図
【発明を実施するための形態】
【００１６】
（第１の実施形態）
図１は、本実施形態に係るシールド電線１を示す斜視図である。本実施形態に係るシールド電線１は、一つ以上（本実施形態では３本）の被覆電線２と、ドレイン線３と、金属箔材４と、樹脂フィルム５と、粘着テープ６と、で構成されている。
【００１７】
被覆電線２は、芯線（導体）の周囲を絶縁被覆で覆った電線であり、シールド層を有していない。本実施形態において、３本の被覆電線２は、所定の撚りピッチで撚り合わされており、一つの電線束に纏められている。もっとも、３本の被覆電線２は撚り合わせる必要はなく並列的に束ねてもよい。
【００１８】
ドレイン線３は、被覆電線２の芯線と略同一断面積の裸電線であり、長さが被覆電線２と略同一に設定されている。ドレイン線３は、３つの被覆電線２に縦添えされている。すなわち、ドレイン線３は、被覆電線２の長手方向と略平行に添えられている。このドレイン線３は３つの被覆電線２とともに束ねられている。
【００１９】
金属箔材４は、３つの被覆電線２及びドレイン線３の周囲を覆うシールド層を形成するシールド部材である。金属箔材４は、例えば絶縁材料であるポリエチレンテレフタレート樹脂からなるシート状の基材の片面に、接着剤を介して金属箔層を積層して構成されている。金属箔層としては、例えばアルミ箔、錫メッキ付きアルミ箔、銅箔、錫メッキ付き銅箔を用いることができ、当該金属箔層がシールド層として機能する。
【００２０】
金属箔材４は、長尺帯状に形成されており、３つの被覆電線２及びドレイン線３を周回できる程度の十分な幅（電線２，３の長手方向と直交する方向の長さ）を備えている。この金属箔材４は、電線２，３の長手方向と略平行に添えられて、被覆電線２及びドレイン線３の外周に巻き付けられている。また、電線２，３の長手方向に沿った金属箔材４両側の辺縁部は上下に重ねられている。この金属箔材４は、金属箔層が内側を向くように被覆電線２及びドレイン線３に巻き付けられており、金属箔層がドレイン線３に接触することによりドレイン線３に導通状態になる。
【００２１】
樹脂フィルム５は、長尺帯状に形成されたフィルムであり、例えばポリ塩化ビニル樹脂製のＰＶＣフィルムである。樹脂フィルム５は、金属箔材４が巻き付けられた３つの被覆電線２及びドレイン線３を周回できる程度の十分な幅を備えている。なお、本明細書において、フィルムとは、膜状の薄い素材を示す意味で用い、フィルムのみならず、フィルムよりも厚いシートも含むものである。なお、樹脂フィルム５は、摩耗性の観点から定められる所定量以上の厚みを備えることが好ましい。
【００２２】
樹脂フィルム５は、電線２，３の長手方向と略平行に添えられて、金属箔材４の外周に巻き付けられている。また、電線２，３の長手方向に沿った樹脂フィルム５両側の辺縁部５ａは上下に重ねられ、互いに溶着されている。
【００２３】
粘着テープ６は、幅狭な長尺状のテープであり、基材と当該基材の一方の面に設けられる粘着層とを備えている。粘着テープ６としては、ポリ塩化ビニル樹脂を基材とするＰＶＣ粘着テープを用いることができるが、これ以外のものを用いてもよい。
【００２４】
粘着テープ６は、樹脂フィルム５の外周に、隣り合うテープの辺縁部同士が重なるように螺旋状に巻き付けられている。また、この粘着テープ６は、粘着層が設けられた面が内側を向くように樹脂フィルム５に巻き付けられている。
【００２５】
以下、図２を参照し、本実施形態に係るシールド電線１の製造方法を説明する。まず、３本の被覆電線２と、１本のドレイン線３とを用意する。３本の被覆電線２を所定の撚りピッチで撚り合わせ、これらの被覆電線２にドレイン線３を縦添えする。
【００２６】
つぎに、金属箔材４を用意し、これを電線２，３の長手方向と略平行に添え、被覆電線２及びドレイン線３の外周に、金属箔層が内側を向くように金属箔材４を巻き付ける。この巻き付け作業では、電線２，３の長手方向に沿った金属箔材４両側の辺縁部が上下に重なるように処理される。
【００２７】
つぎに、樹脂フィルム５を用意し、これを電線２，３の長手方向と略平行に添えると、金属箔材４の外周に樹脂フィルム５を巻き付ける。この巻き付け作業では、電線２，３の長手方向に沿った樹脂フィルム５両側の辺縁部５ａが上下に重なるように処理される。すなわち、樹脂フィルム５両側の辺縁部５ａのうち一方の辺縁部５ａの外面に、他方の辺縁部５ａの内面が向き合うように重ねられる。
【００２８】
つぎに、粘着テープ６を用意し、これを樹脂フィルム５の外周に螺旋状に巻き付ける。この巻き付け作業では、粘着層が形成された面が内側を向くように処理されるとともに、隣り合うテープの辺縁部が互いに重なるように処理される。
【００２９】
このような工程を経た中間製造体は、約１２０℃に設定されたオーブン内で約１分間の加熱処理に供される。この加熱工程により、樹脂フィルム５両側の辺縁部５ａが上下に重なり密着した部位ではフィルム同士が溶着する。これにより、樹脂フィルム５両側の辺縁部５ａが互いに溶着され、溶着部５ｂが形成される。
【００３０】
なお、加熱工程の温度は、樹脂フィルム５の特性に依存するものであり、上述の値は一例である。加熱温度は、樹脂フィルム５同士の密着領域が溶着する温度であればよく、好ましくは、樹脂フィルムのガラス転移点と融点との範囲内の温度である。例えば、ＰＣＶフィルムであれば、８０℃付近（ガラス転移点）と１６０℃付近（融点）との範囲内の温度となる。なお、融点よりも高い温度領域では、外周の粘着テープ６までも溶けてしまう虞があるため好ましくない。
【００３１】
このような一連の工程により、上述のシールド電線１が製造される。
【００３２】
図３は、試験方法の説明図である。以下、本実施形態に係るシールド電線１について気密性を試験した試験結果を説明する。試験方法は、図３に示すように、シールド電線１の両側を密閉し、中央部より圧縮空気（１０ｋＰａ）を３０秒間送り、空気の漏れをチェックする。そして、空気の漏れがない場合には、更に１０ｋＰａずつ圧縮空気を昇圧させ、空気の漏れが発生した際の空気圧力を測定する。この試験においては、１００ｋＰａを超える結果を得ることができた場合、十分な気密性が確保されているといえる。
【００３３】
なお、本実施形態のシールド電線１と比較をするため種々の構造のシールド電線でも比較を行った（表１）。
【表１】
2016072131.tif 000003
【００３４】
本実施形態で示すシールド電線１では、２００ｋＰａ以上の試験結果を得ることができ、十分な気密性が確保されていることが検証された。
【００３５】
比較例１は、被覆電線及びドレイン線の外周に金属箔材を、その外周に粘着テープを巻き付けた構成である。ここで、金属箔材は、電線の長手方向と略平行に添えられ、被覆電線及びドレイン線の外周に巻き付けられている。この際、電線の長手方向に沿った金属箔材両側の辺縁部は上下に重ねられている。また、粘着テープは、金属箔材の外周に螺旋状に巻き付けられている。この比較例１では、３９ｋＰａの試験結果しか得ることができず、所望の気密性が確保されていないことが検証された。
【００３６】
比較例２は、被覆電線及びドレイン線の外周に長尺帯状の金属箔材を、その外周に長尺帯状の粘着シートを、さらにその外周に粘着テープを巻き付けた構成である。ここで、金属箔材は、電線の長手方向と略平行に添えられて、被覆電線及びドレイン線の外周に巻き付けられている。この際、電線の長手方向に沿った金属箔材両側の辺縁部は上下に重ねられている。粘着シートは、電線の長手方向と略平行に添えられて、金属箔材の外周に巻き付けられている。この際、電線の長手方向に沿った粘着シート両側の辺縁部は内面同士が向き合うように貼り合わせられており、この貼り合わせ領域（辺縁部）は粘着シートの外周に沿うように折り曲げられている。また、粘着テープは、粘着シートの外周に螺旋状に巻き付けられている。この比較例２では、１７６ｋＰａの試験結果を得ることができ、十分な気密性を確保することが検証されたが、本実施形態に示すシールド電線１ほど高い気密性を得ることはできなかった。
【００３７】
比較例３は、被覆電線及びドレイン線の外周に長尺帯状の金属箔材を、その外周に粘着テープを巻き付けるとともに、さらにその外周を熱固化タイプのペースト樹脂で覆ったものである。ここで、金属箔材は、電線の長手方向と略平行に添えられて、被覆電線及びドレイン線の外周に巻き付けられている。粘着テープは、金属箔材の外周に螺旋状に巻き付けられている。この比較例３では、２００ｋＰａ以上の試験結果を得ることができ、十分な気密性が確保されていることが検証された。
【００３８】
このように本実施形態において、シールド電線１は、電線２，３と、電線２，３の周囲に巻き付けられて当該電線２，３の周囲を覆うシールド層を形成する金属箔材４（シールド部材）と、金属箔材４の外周に巻き付けられる樹脂フィルム５と、樹脂フィルム５の外周に螺旋状に巻き付けられる粘着テープ６と、を有している。ここで、樹脂フィルム５は、長尺帯状に形成されており、当該電線の長手方向と略平行に添えられて金属箔材４の周囲に巻き付けられるとともに、電線２，３の長手方向に沿った樹脂フィルム５両側の辺縁部５ａが互いに重ねられ溶着されている。
【００３９】
ここで、本実施形態では、樹脂フィルム５は、樹脂フィルム５両側の辺縁部５ａのうち一方の辺縁部５ａの外面に他方の辺縁部５ａの内面が向き合うように上下に重ねられている。
【００４０】
この構成によれば、樹脂フィルム５とその外周に位置付けられる粘着テープ６との二重構造で金属箔材４が覆われるので、気密性を確保することができる。また、樹脂フィルム５の外周を粘着テープ６で螺旋状に巻くことで、樹脂フィルム５両側の辺縁部５ａの重なった領域を確実に押さえることができるので、両者を密着させることができる。これにより、加熱処理を行った際には両者の密着した部位が自己溶着し、辺縁部５ａ同士を確実に溶着することができる（溶着部５ｂ）。これにより、より高い気密性を確保することができる。その結果、金属箔材４への水の進入を抑制することができ、防水性能に優れるシールド電線１を提供することができる。
【００４１】
一方、樹脂フィルム５を螺旋状に巻き付けることも考えられるが、この方法では、粘着テープ６を外周に巻き付けても樹脂フィルム５に対して圧力を一定にかけることができず、樹脂フィルム５同士が密着しない箇所が生じてしまう。そのため、加熱処理時に溶着しない箇所が生じ、気密性を確保することができない可能性がある。その点、本実施形態のように、電線２，３の長手方向と略平行に樹脂フィルム５を添えて金属箔材４の周囲に巻き付けることで、両側の辺縁部５ａの重なった領域を確実に押さえることが可能となる。
【００４２】
また、樹脂フィルム５の外周に巻き付ける部材には、粘着テープ６以外に樹脂フィルム等を用いることも考えられる。しかしながら、樹脂フィルム等では電線の形状保持が困難となる。そのため、樹脂フィルム５両側の辺縁部５ａの重なった領域を押さえつけながら、なおかつ電線の形状保持を行うためには、粘着テープ６を用いることが好ましい。
【００４３】
また、この構成によれば、電線２，３、樹脂フィルム５や粘着テープ６といった組立工場内に存在する部材を用いてシールド電線１を製造することができる。加えて、電線２，３のサイズや組み合わせが適宜選択できるので、上述の防水性能を備える種々のシールド電線１を容易に製造することができる。これにより、効率的にシールド電線１を製造することが可能となり、輸送費等のコストダウンを図ることができ、サービスの向上を図ることができる。上述の比較例３では、高い気密性を得ることはできたが、ペースト樹脂を用意したり、これを熱固化させる処理を伴うところ、非常に煩雑な製造工程となり、本実施形態に示すシールド電線１のような効果を得ることはできない。
【００４４】
また、本実施形態において、電線２，３は、複数の被覆電線２と、複数の被覆電線２に縦添えされたドレイン線３とを含んでいる。
【００４５】
かかる構成によれば、シールド層として機能する金属箔材４が実効性を有するシールド電線１について、防水性能に優れる構造を実現することができる。
【００４６】
（第２の実施形態）
図４は、第２の実施形態に係るシールド電線１Ａを模式的に示す説明図である。以下、第２の実施形態に係るシールド電線１Ａについて説明する。この第２の実施形態に係るシールド電線１Ａが、第１の実施形態のそれと相違する点は、樹脂フィルム５の巻き付け方法である。以下、第１の実施形態との相違点を中心に説明を行うこととし、共通する構成についての説明は省略する。
【００４７】
樹脂フィルム５は、長尺帯状に形成されたシートであり、例えば、ポリ塩化ビニル樹脂製のＰＶＣフィルムである。樹脂フィルム５は、金属箔材４が巻き付けられた３つの被覆電線２及びドレイン線３を周回できる程度の十分な幅を備えている。
【００４８】
樹脂フィルム５は、電線２，３の長手方向と略平行に添えられて、金属箔材４の外周に巻き付けられている。また、電線２，３の長手方向に沿った樹脂フィルム５両側の辺縁部５ａは、その内面同士が向き合うように重ねられ、互いに溶着されている。
【００４９】
以下、図２を参照し、本実施形態に係るシールド電線１Ａの製造方法を説明する。この第２の実施形態に係るシールド電線１Ａの製造方法は、金属箔材４を巻き付ける手順まで第１の実施形態と同様である。
【００５０】
つぎに、樹脂フィルム５を用意し、これを電線２，３の長手方向と略平行に添えると、樹脂フィルム５を粘着テープ６の外周に巻き付ける。この巻き付け作業では、電線２，３の長手方向に沿った樹脂フィルム５両側の辺縁部５ａが、その内面同士で向き合うように重ねられ、重ねられた両側の辺縁部５ａは当該樹脂フィルム５の外周面に沿うように折り曲げられる。
【００５１】
つぎに、粘着テープ６を用意し、樹脂フィルム５の周囲に、隣り合うテープの辺縁部が互いに重なるように螺旋状に粘着テープ６を巻き付ける。この巻き付け作業では、樹脂フィルム５両側の辺縁部５ａの重ね合わせ領域を押さえ込むように粘着テープ６が巻き付けられる。
【００５２】
そして、このような工程を経た中間製造体は、約１２０℃に設定されたオーブン内で約１分間の加熱処理に供される。この加熱工程により、樹脂フィルム５両側の辺縁部５ａが重なり密着した領域ではフィルム同士が溶着する。これにより、樹脂フィルム５両側の辺縁部５ａが互いに溶着され、溶着部５ｂが形成される。
【００５３】
このような一連の工程により、上述のシールド電線１が製造される。
【００５４】
このように本実施形態によれば、樹脂フィルム５は、当該樹脂フィルム５両側の辺縁部５ａが内面同士で向き合うように重ねられ、当該樹脂フィルム５の外周面に沿うように折り曲げられている。
【００５５】
この構成によれば、樹脂フィルム５とその外周に位置付けられる粘着テープ６との二重構造で金属箔材４が覆われるので、気密性を確保することができる。また、外周に巻き付けられる粘着テープ６と、電線２，３を覆う樹脂フィルム５の外周面とにより、樹脂フィルム５の辺縁部５ａの重なった領域を確実に押さえることができる。このため、両者を確実に密着させることができるので、加熱処理を行った際には両者の密着した領域が自己溶着し、樹脂フィルム５両側の辺縁部５ａ同士を確実に溶着することができる（溶着部５ｂ）。これにより、より高い気密性を確保することができる。その結果、金属箔材４への水の進入を抑制することができ、防水性能に優れるシールド電線１Ａを提供することができる。
【００５６】
また、電線２，３、粘着テープ６，７といったワイヤハーネスの組立工場内に存在する部材を用いて、シールド電線１Ａを製造することができる。また、電線２，３のサイズや組み合わせを適宜選択して、個々にシールド電線１Ａを製造することができる。これにより、効率的にシールド電線１Ａを製造することが可能となり、輸送費等のコストダウンを図ることができ、サービスの向上を図ることができる。
【００５７】
なお、図５に示す例では、樹脂フィルム５両側の辺縁部５ａを同じ幅で重ね合わせている。しかしながら、図６に示すように、一方の辺縁部５ａ１の幅と他方の辺縁部５ａ２の幅とをオフセットさせ、両者の重複した領域において両者を重ね合わせるようにしてもよい。
【００５８】
この構成によれば、樹脂フィルム５両側の辺縁部５ａ１，５ａ２の重なった領域を確実に押さえることができるので、両者を密着させることができる。これにより、加熱処理を行った際には両者の密着した部位が自己溶着し、樹脂フィルム５両側の辺縁部５ａ１，５ａ２同士を確実に溶着することができる（溶着部５ｂ）。これにより、より高い気密性を確保することができる。その結果、金属箔材４への水の進入を抑制することができ、防水性能に優れるシールド電線１Ａを提供することができる。
【００５９】
このように各実施形態に係るシールド電線１，１Ａについて説明したが、当該シールド電線１，１Ａは、例えばワイヤハーネスへの適用が可能である。すなわち、ワイヤハーネスは、少なくとも１つのシールド電線１，１Ａと、これ以外の１以上の電線とを含む電線束として構成される。これ以外の１以上の電線は、シールド電線１，１Ａであってもよいし、シールド電線１，１Ａ以外の電線であってもよく、また、シールド電線１，１Ａとシールド電線１，１Ａ以外の電線の双方を含むものであってもよい。
【００６０】
このワイヤハーネスにおいて、シールド電線１，１Ａの各被覆電線２の端部及びドレイン線３の端部には、それぞれ接続端子（図示せず）が接続される。そして、ドレイン線３は、各被覆電線２の端部側に位置する機器等の接地部に接地接続されることとなる。
【００６１】
以上、本実施形態に係るシールド電線について説明したが、本発明はこの実施形態に限定されることなく、その発明の範囲において種々の変更が可能である。
【符号の説明】
【００６２】
１，１Ａ    シールド電線
２    被覆電線
３    ドレイン線
４    金属箔材
５    樹脂フィルム
６    粘着テープ
【図１】
2016072131.tif 000004
【図２】
2016072131.tif 000005
【図３】
2016072131.tif 000006
【図４】
2016072131.tif 000007
【図５】
2016072131.tif 000008
【図６】
2016072131.tif 000009